(57)【要約】  情報をユーザ又は外部装置に明示するための回路を含むケーブルと、こうしたケーブルを含むシステム。ケーブルは、導線と、ケーブルデータを格納するメモリと、ケーブルデータの少なくとも幾つかにアクセスし、アクセスされたデータを逐次的に導線の少なくとも１つに明示することにより（例えば、外部装置への送信のために）、導線の少なくとも１つにおいて受信された要求に応答するように構成された回路とを含むことができる。本発明の他の態様は、ケーブル内に格納されたケーブルデータにアクセスし、任意的に（例えば、等化を実施するために）、このデータを使用するための方法である。ケーブルデータは、ケーブルの種類、グレード、速度、長さ、及びインピーダンス、日付コード、周波数依存の減衰テーブル、遠端漏話、及びＥＭＩ関連係数、コモンモード放射、対間スキュー、及びその他の情報のすべて又は幾つかを示すことができる。ケーブルは、輻射線放射素子と、この輻射線放射素子に、適切な色、明るさ、及び／又は、明滅パターンを生成させるようにする駆動信号を生成するための回路を含むことができる。
2007535235.tif 000002
【特許請求の範囲】
【請求項１】
導線の組と、
ケーブルの少なくとも１つの特性を示すケーブルデータを格納するメモリと、
前記導線の組の少なくとも１つの導線に接続されており、前記ケーブルデータの少なくとも１つにアクセスして、前記アクセスされたデータを逐次的に前記導線の組の少なくとも１つの導線に明示することにより、前記導線の組の少なくとも１つの導線において受信されたデータの要求に応答するように構成された回路と、
を含むケーブル。
【請求項２】
前記ケーブルがシリアル装置を含み、前記シリアル装置が前記回路を含む請求項１に記載のケーブル。
【請求項３】
前記メモリが、前記シリアル装置の要素である請求項２に記載のケーブル。
【請求項４】
前記シリアル装置がＩ２Ｃインターフェースであり、前記メモリが読み取り専用メモリである請求項３に記載のケーブル。
【請求項５】
前記メモリが、前記シリアル装置から区別できるが、該シリアル装置に接続されたものである請求項２に記載のケーブル。
【請求項６】
前記シリアル装置がＩ２Ｃインターフェースであり、前記メモリが読み取り専用メモリである請求項５に記載のケーブル。
【請求項７】
前記ケーブルが２つのコネクタをさらに含み、前記導線の組が前記コネクタ間に接続されており、前記シリアル装置が前記コネクタの１つの含まれた請求項２に記載の装置。
【請求項８】
第２シリアル装置に接続され、前記第２のシリアル装置により駆動される少なくとも１つの輻射線放射素子をさらに含む請求項２に記載のケーブル。
【請求項９】
前記輻射線放射素子がＬＥＤである請求項８に記載のケーブル。
【請求項１０】
前記シリアル装置が、前記導線の組の少なくとも１つの導線で受信された信号に応答して、前記輻射線放射素子を駆動させるための信号を生成するように構成された請求項８に記載のケーブル。
【請求項１１】
前記輻射線放射素子を駆動させるための前記信号が、前記輻射線放射素子に、前記導線の組の前記少なくとも１つの導線で受信された前記信号の少なくとも１つにより定められる色、明るさ、及び明滅パターンの少なくとも１つを生成させるようにする請求項１０に記載のケーブル。
【請求項１２】
前記輻射線放射素子を駆動させるための前記信号が、前記輻射線放射素子に、前記ケーブルの接続ステータスを示す輻射線を放射させるようにする請求項に１０記載のケーブル。
【請求項１３】
前記輻射線放射素子を駆動させるための前記信号が、前記輻射線放射素子に、特定の信号活動、及び前記ケーブルにより送信されている信号の種類の少なくとも１つを示す輻射線を放射させるようにする請求項に１０記載のケーブル。
【請求項１４】
前記ケーブルが、第１輻射線放射素子と第２輻射線放射素子とを含み、前記ケーブルが、第２シリアル装置をさらに含み、前記シリアル装置が、前記導線の組の前記少なくとも１つの導線で受信された信号に応答して、前記第１輻射線放射素子を駆動させるための信号を生成するように構成されており、前記第２輻射線放射素子が、前記第２シリアル装置に接続されかつ該第２シリアル装置により駆動されるようになった請求項１０に記載のケーブル。
【請求項１５】
前記ケーブルデータが、前記ケーブルが保護ケーブルであるかどうかを示すデータを含む請求項１に記載のケーブル。
【請求項１６】
前記ケーブルがシリアル装置を含み、前記シリアル装置が前記回路を含み、前記ケーブルが暗号キーの組を格納し、前記シリアル装置が、さらに、前記導線の組の少なくとも１つの導線上で、前記キーの組の少なくとも１つの暗号キーを送信することにより、外部装置によって検証動作を実行するように構成された請求項１に記載のケーブル。
【請求項１７】
前記メモリが読み取り専用メモリである請求項１に記載のケーブル。
【請求項１８】
前記読み取り専用メモリがマスクＲＯＭである請求項１７に記載のケーブル。
【請求項１９】
前記読み取り専用メモリが、前記ケーブルデータによりプログラムされたＰＲＯＭである請求項１７に記載のケーブル。
【請求項２０】
前記メモリがアナログメモリである請求項１に記載のケーブル。
【請求項２１】
前記ケーブルデータが、前記ケーブルの製造業者、前記ケーブルの種類、前記ケーブルの部類、周波数依存の減衰テーブル、遠端漏話係数、前記ケーブルのインピーダンス、前記ケーブルの長さ、前記ケーブルのグレード、及び日付コードの少なくとも１つを示すデータを含む請求項１に記載のケーブル。
【請求項２２】
前記導線の組が、差分信号送信のための少なくとも１つの導線の対を含み、前記ケーブルデータが、ＥＭＩ関連係数、コモンモード放射、及び対間スキューの少なくとも１つを示すデータを含む請求項１に記載のケーブル。
【請求項２３】
前記導線の組が、前記ケーブルに接続された送信機から、前記ケーブルに接続された受信機へのデータ送信のために構成された第１の導線のサブセットと、前記送信機と前記受信機との間のシリアル通信のために構成された第２の導線のサブセットとを含み、前記回路が、前記アクセスされたデータを逐次的に前記第２の導線のサブセットの少なくとも１つの導線に明示することにより、前記データ要求に応答するように構成された請求項１に記載のケーブル。
【請求項２４】
前記第２の導線のサブセットが、ディスプレイ・データ・チャネル・ラインで構成された請求項２３に記載のケーブル。
【請求項２５】
導線の組と、
前記導線の組の少なくとも１つに接続されており、ケーブル案内情報を明示することにより、前記導線の組の少なくとも１つの導線の状態の変化に応答するように構成されたサブシステムと、
を含むケーブル。
【請求項２６】
前記サブシステムが、
少なくとも１つの輻射線放射素子と、
前記輻射線放射素子に接続されており、かつ該輻射線放射素子を駆動させることができる回路と、を含み、
前記回路が、前記少なくとも１つの導線の状態の前記変化から、装置が前記ケーブルに接続されているかどうかを判断し、装置が前記ケーブルに接続されているという判断に応答して、前記輻射線放射素子に、前記ケーブル案内情報を示す輻射線を放射させるように構成された請求項２５に記載のケーブル。
【請求項２７】
前記輻射線放射素子がＬＥＤである請求項２６に記載のケーブル。
【請求項２８】
前記ケーブル案内情報が、前記ケーブルの自由端が接続されるべき装置の種類を示すものであり、前記サブシステムが、
少なくとも１つの輻射線放射素子と、
前記輻射線放射素子に接続されており、かつ該輻射線放射素子を駆動させることができる回路と、
を含み、前記回路が、前記少なくとも１つの導線の状態の前記変化から、特定の種類の装置が、前記ケーブルに接続されているかどうかを判断し、前記特定の種類の装置が前記ケーブルに接続されているという判断に応答して、前記輻射線放射素子に、前記ケーブル案内情報を示す輻射線を放射させるように構成された請求項２５に記載のケーブル。
【請求項２９】
前記輻射線放射素子がＬＥＤである請求項２８に記載のケーブル。
【請求項３０】
前記サブシステムが、
少なくとも１つの輻射線放射素子と、
前記輻射線放射素子に接続されており、かつ該輻射線放射素子を駆動させることができる第１回路と、
を含み、前記第１回路が、前記導線の組の第１サブセットの状態の変化から、第１の種類の装置が前記ケーブルに接続されているかどうかを判断し、前記第１の種類の装置が前記ケーブルに接続されているという判断に応答して、前記輻射線放射素子に、第２の種類の装置が前記ケーブルに接続されるべきであることを示す輻射線を放射させるように構成されており、
前記輻射線放射素子に接続されており、かつ該輻射線放射素子を駆動させることができる第２回路が、前記導線の組の第２サブセットの状態の変化から、第２の種類の装置が前記ケーブルに接続されているかどうかを判断し、前記第２の種類の装置が前記ケーブルに接続されているという判断に応答して、前記輻射線放射素子に、前記第１の種類の装置が前記ケーブルに接続されるべきであることを示す輻射線を放射させるように構成された、請求項２５に記載のケーブル。
【請求項３１】
装置と、
前記装置に接続されたケーブルと、
を含み、前記ケーブルが、
導線の組と、
前記ケーブルの少なくとも１つの特性を示すケーブルデータを格納するメモリと、
前記導線の組の少なくとも１つの導線に接続されており、前記ケーブルデータの少なくとも幾つかにアクセスし、前記導線の組の少なくとも１つの導線上で、前記アクセスされたケーブルデータを逐次的に前記装置に送信することにより、前記導線の組の少なくとも１つの導線上の前記装置から受信したデータ要求に応答するように構成された回路と、
を含むシステム。
【請求項３２】
前記装置が、そこに送信されたケーブルデータを使用して、等化を実施するように構成された請求項３１に記載のシステム。
【請求項３３】
前記装置が送信機である請求項３１に記載のシステム。
【請求項３４】
前記送信機が、プリエンファシスをコンテンツデータに適用するように構成されており、かつ、前記ケーブルから受信した前記ケーブルデータを使用して、プリエンファシスを前記コンテンツデータに適用する際に使用するためのプリエンファシス値を求めるように構成された請求項３３に記載の送信機。
【請求項３５】
受信機をさらに含み、前記ケーブルが、前記受信機と前記送信機との間に接続されており、前記受信機が、少なくとも１つの等化パラメータにより、前記ケーブル上で、前記送信機から受信したデータを等化するように構成されており、前記送信機が、前記ケーブルから受信した前記ケーブルデータの少なくとも幾つかを使用して、少なくとも１つの前記等化パラメータを設定するように構成された請求項３３に記載のシステム。
【請求項３６】
受信機をさらに含み、前記ケーブルが、前記受信機と前記送信機との間に接続されており、前記受信機が、少なくとも１つの等化パラメータにより、前記ケーブル上で、前記送信機から受信したデータを等化するように構成されており、前記送信機が、前記ケーブルから受信した前記ケーブルデータの少なくとも幾つかを使用して、前記受信機に、少なくとも１つの前記等化パラメータを設定させるように構成された請求項３３に記載のシステム。
【請求項３７】
受信機をさらに含み、前記ケーブルが、前記受信機と前記送信機との間に接続されており、前記受信機が終端回路を含み、前記送信機が、前記ケーブルから受信した前記ケーブルデータの少なくとも幾つかを使用して、前記終端回路を構成するように構成された請求項３３に記載のシステム。
【請求項３８】
受信機をさらに含み、前記ケーブルが、前記受信機と前記送信機との間に接続されており、前記受信機が終端回路を含み、前記送信機が、前記ケーブルから受信した前記ケーブルデータの少なくとも幾つかを使用して、前記受信機に、前記終端回路を構成させるように構成された請求項３３に記載のシステム。
【請求項３９】
受信機をさらに含み、前記ケーブルが、前記受信機と前記送信機との間に接続されており、前記導線の組が、前記送信機から前記受信機へのデータ送信のために構成された第１の導線のサブセットと、前記送信機と前記受信機との間のシリアル通信のために構成された第２の導線のサブセットとを含み、前記回路が、前記第２の導線のサブセットの少なくとも１つの導線上で、前記アクセスされたデータを逐次的に前記送信機に送信することにより、前記データ要求に応答するように構成された請求項３３に記載のシステム。
【請求項４０】
受信機をさらに含み、前記ケーブルが、前記受信機と前記送信機との間に接続されており、前記導線の組が、前記装置と前記第２の装置との間のシリアル通信のためのディスプレイ・データ・チャネル・ラインを含み、前記回路が、前記ディスプレイ・データ・チャネル・ラインの少なくとも１つの導線上で、前記アクセスされたデータを逐次的に前記装置に送信することにより、前記データ要求に応答するように構成された請求項３１に記載のシステム。
【請求項４１】
前記ケーブルがシリアル装置を含み、前記シリアル装置が前記回路を含む請求項３１に記載のシステム。
【請求項４２】
前記メモリが前記シリアル装置の要素である請求項４１に記載のシステム。
【請求項４３】
前記シリアル装置がＩ２Ｃインターフェースであり、前記メモリが読み取り専用メモリである請求項４２に記載のシステム。
【請求項４４】
前記メモリが前記シリアル装置から区別できるが、該シリアル装置に接続された請求項４１に記載のシステム。
【請求項４５】
前記シリアル装置がＩ２Ｃインターフェースであり、前記メモリが読み取り専用メモリである請求項４４に記載のシステム。
【請求項４６】
前記ケーブルが２つのコネクタをさらに含み、前記導線の組が前記コネクタ間に接続されており、前記シリアル装置が前記コネクタの１つの中に含まれた請求項４１に記載のシステム。
【請求項４７】
前記シリアル装置に接続され、かつ該シリアル装置により駆動される少なくとも１つの輻射線放射素子をさらに含む請求項４１に記載のシステム。
【請求項４８】
前記輻射線放射素子がＬＥＤである請求項４７に記載のシステム。
【請求項４９】
受信機をさらに含み、前記装置が送信機であり、前記ケーブルが前記受信機と前記送信機との間に接続されており、前記シリアル装置が、前記導線の組の少なくとも１つの導線上で前記送信機及び前記受信機の少なくとも一方から受信したコマンドに応答して、前記輻射線放射素子を駆動させるための信号を生成するように構成された請求項４１に記載のシステム。
【請求項５０】
前記輻射線放射素子を駆動させるための前記信号が、前記輻射線放射素子に、前記コマンドの少なくとも１つにより定められる色、明るさ、及び明滅パターンの少なくとも１つを生成させるようにする請求項４９に記載のシステム。
【請求項５１】
前記輻射線放射素子を駆動させるための前記信号が、前記輻射線放射素子に、前記ケーブルの接続ステータスを示す輻射線を放射させるようにする請求項４９に記載のシステム。
【請求項５２】
前記輻射線放射素子を駆動させるための前記信号が、前記輻射線放射素子に、特定の信号活動、及び前記ケーブルにより送信されている信号の種類の少なくとも１つを示す輻射線を放射させるようにする請求項４９に記載のシステム。
【請求項５３】
前記送信機及び前記受信機の少なくとも一方が、第２の輻射線放射素子と、前記第２の輻射線放射素子を駆動させるための回路とを含む請求項４９に記載のシステム。
【請求項５４】
前記輻射線放射素子及び前記第２の輻射線放射素子の少なくとも一方から放射される輻射線が、前記ケーブルの取り付けを案内するため、及び、前記ケーブルの少なくとも１つの接続をチェックするための少なくとも一方に有益な情報を示す色、明るさ、及び明滅パターンの少なくとも１つを有する請求項５３に記載のシステム。
【請求項５５】
前記ケーブルデータが、前記ケーブルが保護ケーブルであるかどうかを示すデータを含む請求項３１に記載のシステム。
【請求項５６】
前記装置が送信機であり、前記ケーブルがシリアル装置を含み、前記シリアル装置が前記回路を含み、前記ケーブルが暗号キーの組を格納し、前記シリアル装置が、さらに、前記導線の組の少なくとも１つの導線上で、前記キーの組の少なくとも１つの暗号キーを送信することにより、前記送信機によって検証動作を実行するように構成された請求項３１に記載のシステム。
【請求項５７】
受信機をさらに含み、前記ケーブルが前記受信機と前記送信機との間に接続されており、前記送信機が、さらに、前記導線の組の少なくとも１つの導線上で、少なくとも１つの暗号キーを送信することにより、前記受信機によって検証動作を実行するように構成された請求項５６に記載のシステム。
【請求項５８】
前記メモリが読み取り専用メモリである請求項３１に記載のシステム。
【請求項５９】
前記メモリがアナログメモリである請求項３１に記載のシステム。
【請求項６０】
前記ケーブルデータが、前記ケーブルの製造業者、前記ケーブルの種類、前記ケーブルの部類、周波数依存の減衰テーブル、遠端漏話係数、前記ケーブルのインピーダンス、前記ケーブルの長さ、前記ケーブルのグレード、及び日付コードの少なくとも１つを示すデータを含む請求項３１に記載のケーブル。
【請求項６１】
前記導線の組が、差分信号送信のための少なくとも１つの導線の対を含み、前記ケーブルデータが、ＥＭＩ関連係数、コモンモード放射、及び対間スキューの少なくとも１つを示すデータを含む請求項３１に記載のケーブル。
【請求項６２】
ケーブル内に格納されたケーブルデータを外部装置に与えるための方法であって、
前記外部装置からの要求を前記ケーブルの少なくとも１つの導線に明示するステップと、
前記ケーブルデータの少なくとも幾つかにアクセスし、前記ケーブルの少なくとも１つの導線上で、前記アクセスされたケーブルデータを、逐次的に、前記ケーブルから前記外部装置に送信することにより、前記要求に応答するステップと、
を含む方法。
【請求項６３】
前記外部装置が、プリエンファシスをコンテンツデータに適用するように構成された送信機であり、
前記ケーブルから受信された前記ケーブルデータの少なくとも幾つかに応答して、プリエンファシスを前記コンテンツデータに適用する際に用いるためのプリエンファシス値を求めるステップをさらに含む請求項６２に記載の方法。
【請求項６４】
前記外部装置が、前記ケーブル上で、データを受信機に送信するように構成された送信機であり、前記受信機が、前記データの等化を実行するように構成されており、
前記ケーブルから前記受信機において受信された前記ケーブルデータの少なくとも幾つかに応答して、少なくとも１つの前記等化パラメータを設定するステップと、
前記受信機において、前記少なくとも１つの等化パラメータにより前記データに等化を実行するステップと、
をさらに含む請求項６２に記載の方法。
【請求項６５】
前記外部装置が、前記ケーブル上で、データを、終端回路を有する受信機に送信するように構成された送信機であり、
前記ケーブルから前記送信機において受信された前記ケーブルデータの少なくとも幾つかに応答して、前記終端回路を構成するステップ、
をさらに含む請求項６２に記載の方法。
【請求項６６】
前記ケーブルが導線の組を含み、前記外部装置が、前記ケーブル上で、データを受信機に送信するように構成された送信機であり、前記要求が、前記送信機から前記導線の組の第１の導線のサブセットに明示され、前記アクセスされたケーブルデータが、前記第１の導線のサブセット上で、前記外部装置に送信され、
前記導線の組の第２の導線のサブセット上で、コンテンツデータを前記送信機から前記受信に送信するステップ、
をさらに含む請求項６２に記載の方法。
【請求項６７】
前記ケーブルがディスプレイ・データ・チャネル・ライン及びその他の導線を含み、前記外部装置が、前記ケーブル上で、データを受信機に送信するように構成された送信機であり、前記要求が、前記送信機から前記ディスプレイ・データ・チャネル・ラインの少なくとも１つに明示され、前記アクセスされたケーブルデータが、前記ディスプレイ・データ・チャネル・ラインの少なくとも１つにおいて、前記外部装置に送信され、
前記その他の導線の少なくとも１つにおいて、前記送信機から前記受信機にコンテンツデータを送信するステップ、
をさらに含む請求項６２に記載の方法。
【請求項６８】
前記ケーブルが、輻射線放射素子を含み、
前記ケーブルの少なくとも１つの導線上で、前記外部装置から前記ケーブルにコマンドを明示するステップと、
前記コマンドに応答して、前記ケーブルにおける回路を動作させて、前記輻射線放射素子のための駆動信号を生成するステップと、
をさらに含む請求項６２に記載の方法。
【請求項６９】
前記駆動信号に応答して、前記輻射線放射素子から輻射線を放射して、前記輻射線が、前記コマンドの少なくとも１つにより定められる色、明るさ、及び明滅パターンの少なくとも１つを有するようになったステップ、
をさらに含む請求項６８に記載の方法。
【請求項７０】
前記外部装置が送信機であり、前記ケーブルが暗号キーの組を格納し、
前記ケーブルにおける回路を動作させて、前記ケーブルの少なくとも１つの導線上で、前記キーの組の少なくとも１つの暗号キーを前記送信機に送信することにより、前記送信機によって検証動作を実行するステップ、
をさらに含む請求項６２に記載の方法。
【請求項７１】
導線の組と情報明示サブシステムとを含むケーブルから、ケーブル案内情報を明示するための方法であって、
（ａ）前記導線の組の少なくとも１つの導線を監視するステップと、
（ｂ）前記導線の組の少なくとも１つの導線の状態の変化に応答して、ケーブル案内情報を前記情報明示サブシステムから明示するステップと、
を含む方法。
【請求項７２】
前記ステップ（ｂ）が、
装置が前記ケーブルに接続されていることを示す前記導線の組の前記少なくとも１つの導線の状態の変化に応答して、前記ケーブル案内情報を示す輻射線を放射するステップを含む請求項７１に記載の方法。
【請求項７３】
前記ステップ（ｂ）が、
第１の種類の装置が前記ケーブルに接続されていることを示す前記導線の組の前記少なくとも１つの導線の状態の変化に応答して、前記ケーブル案内情報を示す輻射線を放射するステップを含み、前記ケーブル案内情報が、前記ケーブルの自由端が接続されるべき装置の第２の種類を示す請求項７１に記載の方法。
【発明の詳細な説明】
【技術分野】
【０００１】
本発明は、（例えば、ビデオ及びその他のデータが送信機から受信機に送信されるシリアルリンクを実施するための）送信機を受信機に接続するためのケーブルに関する。ケーブルは、ケーブルデータを格納するためのメモリ、及び／又は、情報を（例えば、輻射線を放射することにより）ユーザに、又は、外部装置（例えば、ケーブルに接続された送信機又は受信機）に明示するための回路を含む。好ましい実施形態においては、本発明は、ケーブルデータを格納するメモリと、ケーブルデータを逐次様式で、ケーブルに接続された外部装置に明示するためのシリアル装置とを含むケーブルである。
【背景技術】
【０００２】
「送信機」という用語は、ここでは広い意味で用いられ、シリアルリンク又は他のリンク上でデータを送信することができ、さらに、任意的には、送信されるべきデータの符号化及び／又は暗号化を含むことができる付加的な機能を実行することができるあらゆる装置を示す。「受信機」という用語は、ここでは広い意味で用いられ、シリアルリンク又は他のリンク上で送信されたデータを受信することができ、さらに、任意的には、受信したデータの復号化及び／又は暗号化解除、及び、受信したデータの復号化、受け取り、又は暗号化解除に関する他の動作を含むことができる付加的な機能を実行することができるあらゆる装置を示す。例えば、受信機という用語は、送信機の機能並びに受信機の機能を実行するトランシーバを示すことができる。
【０００３】
「シリアルリンク」という表現は、ここでは、（任意数のチャネルを有する）シリアルリンク、又はシリアルリンクのチャネルを示し、シリアルリンクの「チャネル」という用語は、データを逐次様式で送信するのに採用されるリンクの一部（例えば、特異的に又は単一端形態で、データが逐次的に送信される送信機と受信機との間の導線又は導線の対）を示す。
【０００４】
ビデオデータ及びその他のデータを送信するための様々な周知のシリアルリンクがある。１つの通常のシリアルリンクは、遷移最小化差分信号インターフェース（「ＴＭＤＳ」リンク）として知られている。このリンクは、主として、セット・トップ・ボックスからテレビジョンへのビデオデータの高速送信、さらに、ホストプロセッサ（例えば、パーソナルコンピュータ）からモニタへのビデオデータの高速送信に用いられる。ＴＭＤＳリンクの特性には、以下のものがある。
１．ビデオデータが符号化され、次いで、符号化ワードとして送信される（送信前に、デジタルビデオデータの各８ビットワードが、符号化された１０ビットワードに変換される）
２．符号化ビデオデータ及びビデオクロック信号が差分信号として送信される（ビデオクロック及び符号化ビデオデータは、接地ラインの存在なしで、導線の対において、差分信号として送信される）
３．３つの導線の対が符号化ビデオを送信するのに採用され、４つ目の導線の対はビデオクロック信号を送信するのに採用される。
【０００５】
別のシリアルリンクは、Ｓｉｌｉｃｏｎ  Ｉｍａｇｅ，Ｉｎｃ．，、松下電器、Ｒｏｙａｌ  Ｐｈｙｌｉｐｓ  Ｅｌｅｃｔｒｏｎｉｃｓ、ソニー、Ｔｈｏｍｓｏｎ  Ｍｕｌｔｉｍｅｄｉａ、東芝、及び日立により開発された「ハイ・デフィニション・マルチメディア・インターフェース」インターフェース（「ＨＤＭＩ」リンク）である。ＨＤＭＩリンク上で暗号化ビデオ及び音声データを送信することが提案される。
【０００６】
別のシリアルリンクは、デジタル・ディスプレイ・ワーキング・グループにより採用された「デジタル・ビデオ・インターフェース」（「ＤＶＩ」リンク）である。「高帯域デジタルコンテンツ保護」（「ＨＤＣＰ」）プロトコルとして知られる暗号プロトコルを用いて、ＤＶＩリンク上で送信されるべきデジタルビデオデータを暗号化し、ＤＶＩ受信機において暗号化ビデオデータを暗号化解除することが提案される。ＤＶＩリンクは、（ビデオクロック信号を送信するために共通の導線の対を共有する）２つのＴＭＤＳリンク又は１つのＴＭＤＳリンク、並びに、送信機と受信機との間の付加的な制御ラインを含むように実施することができる。図１を参照して（１つのＴＭＤＳリンクを含む）ＤＶＩリンクを説明する。図１のＤＶＩリンクは、送信機１、受信機３、及び、送信機と受信機との間に、４つの導線の対（ビデオデータのためのチャネル０、チャネル１、及びチャネル２と、ビデオクロック信号のためのチャネルＣ）、通常のディスプレイ・データ・チャネル標準（１９９６年４月９日付けのＶｉｄｅｏ  Ｅｌｅｃｔｒｏｎｉｃｓ  Ｓｔａｎｄａｒｄ  Ａｓｓｏｃｉａｔｉｏｎの「ディスプレイ・データ・チャネル」バージョン２、Ｒｅｖ．０）による、送信機と、受信機と関連するモニタとの間の双方向通信のためのディスプレイ・データ・チャネル（「ＤＤＣ」）ライン、（モニタが、送信機と関連するプロセッサに、モニタの存在を識別させるようにする信号を送信する）ホット・プラグ検出（ＨＰＤ）ライン、（アナログビデオを受信機に送信するための）アナログ・ライン、及び（ＤＣ電力を受信機及び受信機と関連するモニタに与えるための）電力ラインとを含む。ディスプレイ・データ・チャネル標準は、モニタの種々の特性を指定する拡張表示識別（「ＥＤＩＤ」）データのモニタによる送信と、モニタのための制御信号の送信機による送信とを含む、送信機と、受信機と関連するモニタとの間の双方向通信のためのプロトコルを指定する。送信機１は、３つの同一のエンコーダ／シリアライザ・ユニット（ユニット２、４、及び５）と付加的な回路（図示せず）とを含む。受信機３は、３つの同一のリカバリ／デコーダ・ユニット（ユニット８、１０、及び１２）と、図示のように接続されるチャネル間位置合わせ回路１４と、付加的な回路（図示せず）とを含む。
【０００７】
図１に示すように、回路２は、チャネル０上で送信されるべきデータを符号化し、符号化されたビットをシリアル化する。同様に、回路４は、チャネル１上で送信されるべきデータを符号化し、（符号化されたビットをシリアル化し）、回路６は、チャネル２上で送信されるべきデータを符号化し、（符号化されたビットをシリアル化する）。回路２、４、及び６の各々は、選択的に、（高い値を有するＤＥに応答して）デジタルビデオワード、又は、（低い値を有するＤＥに応答して）制御又は同期信号の対を符号化することにより、制御信号（「データ・イネーブル」又は「ＤＥ」信号と呼ばれるアクティブな高バイナリ制御信号）に応答する。エンコーダ２、４、及び６の各々は、制御信号又は同期信号の異なる対を受信し、すなわち、エンコーダ２は、水平同期信号及び垂直同期信号（ＨＳＹＮＣ及びＶＳＹＮＣ）を受信し、エンコーダ４は、制御ビットＣＴＬ０及びＣＴＬ１を受信し、エンコーダ６は、制御ビットＣＴＬ２及びＣＴＬ３を受信する。すなわち、エンコーダ２、４、及び６の各々は、（高い値を有するＤＥに応答して）ビデオデータを示す帯域内ワードを生成し、エンコーダ２は、（低い値を有するＤＥに応答して）ＨＳＹＮＣ及びＶＳＹＮＣの値を示す帯域外ワードを生成し、エンコーダ４は、（低い値を有するＤＥに応答して）ＣＴＬ０及びＣＴＬ１の値を示す帯域外ワードを生成し、エンコーダ６は、（低い値を有するＤＥに応答して）ＣＴＬ２及びＣＴＬ３の値を示す帯域外ワードを生成する。低い値を有するＤＥに応答して、エンコーダ４及び６の各々は、制御ビットＣＴＬ０及びＣＴＬ１（又はＣＹＬ２及びＣＴＬ３）の値００、０１、１０、又は１１をそれぞれ示す４つの特定の帯域外ワードの１つを生成する。
【０００８】
図１のシステムの動作においては、コネクタ２０及び２１を含むケーブルと導線（ワイヤ）２２、は送信機１と受信機３との間に接続される。導線２２は、チャネル０上で、シリアル化データをエンコーダ２からデコーダ８に送信するための導線の対と、チャネル１上で、シリアル化データをエンコーダ４からデコーダ１０に送信するための導線の対と、チャネル２上で、シリアル化データをエンコーダ６からデコーダ１２に送信するための導線の対と、チャネルＣ上で、ビデオクロック信号を送信機１から受信機３に送信するための導線の対とを含む。導線２２は、さらに、（送信機１と受信機３との間で双方向Ｉ２Ｃ通信に用いることができる）ＤＤＣチャネルのためのワイヤと、ホット・プラグ検出（ＨＰＤ）ラインと、送信機１から受信機３へのアナログビデオ送信のための「アナログ」ラインと、送信機１から受信機３への電力提供のための「電力」ラインとを含む。
【０００９】
他のシリアルリンクは、各々がＴＩＡ／ＥＩＡ−６４４標準又はＩＥＥＥ−１５９６．３標準を満たす低電圧差分信号方式（「ＬＶＤＳ」）リンク（例えば、「ＬＤＩ」ＬＶＤＳ表示インターフェース）として知られるシリアルリンクの組、イーサネット（登録商標）リンク、ファイバチャネルリンク、ディスクドライブにより使用されるシリアルＡＴＡリンク及びその他を含む。
【００１０】
ケーブル上での高速データ送信中、ケーブル自体は、受信者側での信号品質を低下させる損失及び分散を生じさせる。高速シリアル通信は、単一の導線又は導線の対において高速データを転送することを可能にする。しかし、送信された信号の周波数及びケーブル長の一方又は両方が増加すると、周波数依存の遅延及び減衰による歪みは受信側の目を殆ど使用不能にすることがある。さらに、ケーブル自体の取り扱いは、民生用アプリケーションの標準的なユーザにとっては困難になる。
【００１１】
周波数依存の減衰は、信号を減衰させるだけでなく、さらに、分散も発生させる。これらのアーチファクトは、受信した信号の偽の検出の機会を増加させる。受信機にとって最も重要なパラメータは、受信機側で開いている目である。より大きい目の開きは、より良い信号品質と相関する。信号歪みの主要な源は、周波数依存の減衰、不完全なインピーダンス適合、遠端漏話、及びＥＭＩである。比較的低い周波数信号においては、種々の信号処理技術（例えば、適応等化）が、信号歪みを補償するために用いられてきた。しかし、高い周波数信号、特に、ＮＲＺ（非ゼロ復帰）データストリームを示す信号においては、ケーブル特性が良好に定義されていないか又は知られていない場合には、等化がより困難になる。精巧な方法を用いて、回路を（送信機と受信機との間にケーブルが接続された）送信機及び／又は受信機において用いることにより、ケーブル特性を推測することができるが、このことは、複雑なハンドシェーク及び信号処理回路を必要とする。
【００１２】
ケーブル上で、データを示す信号（例えば、ビデオ又は音声データを示す信号）を受信機に送信することは、例えば、時間遅延エラー（時には、ジッタと呼ばれる）をデータに導入することにより、データを劣化させる。実際、ケーブルは、ケーブル上での伝播中、フィルタ（時には「ケーブルフィルタ」と呼ばれる）を信号に適用する。ケーブルフィルタは、符号間干渉を引き起すことがある（ＩＳＩ）。
【００１３】
等化は、リンク上での伝播後に受信された信号に対して、ケーブルフィルタの反転形態が適用されることである。等化フィルタ（時には、「等化器」と呼ばれる）の機能は、ケーブルフィルタを補償、好ましくは取り消すことである。送信機は、相対的に大きい増幅を、送信されるべきデータ値のシーケンスの幾つかのデータ値に適用し、相対的に小さい増幅をシーケンスの他のデータ値に適用することにより、「プリエンファシス」等化を実施することができる。
【００１４】
ケーブル上で、データを送信機から受信機に送信するシステムにおいては、送信機及び受信機のいずれか又は両方が等化を実行することができる。多くのこうしたシステムにおいては、ユーザは、送信機と受信機との間の種々のケーブルのいずれをも接続することができ、所望の場合には、一方のケーブルを別のケーブル（例えば、異なる長さのもの）とスワップさせることができる。一方ケーブルと併せて使用するのに適した一組の等化パラメータは、このケーブルが別のケーブル（例えば、はるかに短い又ははるかに長いケーブル）で置き換えられた場合には、使用に適さないことが多い。本発明までは、こうしたシステムの送信機又は受信機における等化フィルタに最適な（又は適した）等化パラメータの組を求めることは時間がかかる及び／又は高価なことであった（例えば、ケーブル特性の特性化は、上述のような、複雑なハンドシェーキング及び信号処理回路を必要としたため）。
【発明の開示】
【００１５】
実施形態のひとつの部類においては、本発明は、（ケーブルの少なくとも１つの特性を示す）ケーブルデータを格納するメモリと、導線の組と、導線の組の少なくとも１つの導線に接続されており、格納されたケーブルのデータの少なくとも幾つかにアクセスし、アクセスされたデータを、逐次的に、導線の組の少なくとも１つの導線に明示することにより（例えば、ケーブルに接続された外部装置に送信するために）、（例えば、送信機又はケーブルに接続された他の外部装置から）導線の組の少なくとも１つの導線において受信されたケーブルデータ要求に応答するように構成された回路と、を含むケーブルである。導線の組は、少なくとも１つの導線を含み、典型的には、２つ又はそれ以上の導線を含む。メモリ及び回路は、シリアル装置内に含まれてもよいし、又は、回路がシリアル装置内に含まれて、メモリがシリアル装置から区別され、かつ該シリアル装置に接続された要素であってもよい。外部装置は、ケーブルデータを使用して、等化を実施することができ、或いは別の形で、ケーブルによって導入される損失及び発散による悪影響を緩和することができる。例えば、典型的な実施形態においては、ケーブルは、送信機と受信機との間に接続されており、ケーブルにおけるシリアル装置は、（送信機により要求される）ケーブルデータを逐次的に送信機に明示するように構成される。送信機は、次いで、ケーブルデータを用いて等化を実施することができる。例えば、送信機は、ケーブルデータを使用して、コンテンツデータ（ケーブル上で受信機に送信されるべきデータ）のプリエンファシスに最適なプリエンファシス値を選択することができ、及び／又は、等化回路、及び／又は、受信機内の終端回路のためのパラメータを設定する（又は受信機に設定させるようにする）ことができる。例えば、送信機は、等化パラメータを設定する際に受信機が使用するためのケーブルデータ（又はケーブルデータに応答して生成された信号）の少なくとも幾つかを受信機に送信することができる。
【００１６】
実施形態の別の部類においては、本発明のケーブルは、（例えば、ケーブル内に格納されたケーブルデータの表示を示すことにより）、情報をユーザ又は外部装置（例えば、ケーブルに接続された受信機又は送信機）に明示するための回路を含む。幾つかのこうした実施形態においては、ケーブルは、ケーブル案内情報を明示することにより、例えば、ケーブル案内情報の表示を示すことにより、少なくとも１つのケーブル案内機能を実施するように構成される。ケーブル案内情報は、ケーブルの一端が既知の種類の装置に接続されている場合に、ケーブルの自由端をどの種類の装置に接続すべきかを示すことができる。ケーブル内の回路は、回路が、ケーブルの一端が既知の種類の装置に接続されていると判断した場合に、ケーブルに、自由端を接続すべき装置の種類の表示を示すようにさせることができる。
【００１７】
典型的な実施形態においては、本発明のケーブルは２つのコネクタを含み、導線の組はコネクタ間に接続され、シリアル装置はコネクタの一方に（又は両方のコネクタの各々に）含まれるか、又は、両方のコネクタにわたり分布される。ケーブルデータは、１つの前述のシリアル装置に含まれるメモリ内に含むことができ、又は、前述のシリアル装置から区別できるが、該シリアル装置に接続された少なくとも１つのメモリ内に含むことができる。シリアル装置は、「ケーブルデータチャネル」（導線の組の１つ又はそれ以上の導線、典型的には、導線の組の１又は２つの導線）に接続されており、ケーブルデータチャネル上で、ケーブルデータを（例えば、外部装置に）明示することにより、ケーブルデータに対する要求（例えば、ケーブルデータチャネル上で、送信機、又はケーブルの外にあるがケーブルデータチャネルに接続された他の装置から受信された要求）に応答するように構成されている。典型的には、送信機（又はケーブルの外にある他の装置）におけるシリアルバスコントローラは、ケーブルデータチャネル上の通信を制御する。（ケーブルからのケーブルデータにアクセスし、アクセスされたケーブルデータを使用するための）制御機構は、ソフトウェアとして（例えば、ソフトウェアデバイスドライバとして）実施することができ、送信機（又はケーブルの外にある他の装置）におけるシリアルバスコントローラにプログラムすることができる。
【００１８】
典型的な使用においては、ケーブルは、送信機と受信機との間に接続されており、ケーブルのケーブルデータチャネルは、相対的に低速の、送信機と受信機との間のシリアル通信に採用され、データ（例えば、ビデオ及び／又は音声データ）は（送信機から受信機に）ケーブルの導線の組の他の導線において、より高速のデータ速度で送信される。一例として、送信機と受信機は、ＤＶＩリンクにより接続されており、ＤＶＩリンクのディスプレイ・データ・チャネル（「ＤＤＣ」）ラインは、ケーブルデータチャネルである。（外部装置とケーブルにおけるシリアル装置との間の）ケーブルデータチャネル上のシリアル通信は、相対的に低速で生じることができ、この場合には、シリアル装置は、シリアル通信が高速のデータ速度で生じなければならない場合よりも簡単に実施することができる。
【００１９】
典型的な実施形態においては、本発明のケーブルのシリアル装置はＩ２Ｃインターフェースであり、ケーブルデータを格納するＲＯＭを含む。典型的には、ケーブルデータは、ケーブルの製造業者、ケーブルの種類及び／又はケーブルの部類、日付コード、周波数依存の減衰テーブル、ＦＥＸＴ（遠端漏話）係数、ケーブルのインピーダンス、ケーブルの長さ（電気的長さ）、ケーブルのグレード、ＥＭＩ関連係数、コモンモード放射、ケーブル速度、対間スキュー、及びその他の情報のすべて又は幾つかを示す。ＲＯＭは、ケーブルの製造業者が特定のケーブル又はケーブルのモデルに関するケーブルデータを書き込むマスクＲＯＭであってもよいし、又は、製造段階で、特定のケーブル又はケーブルのモデルに関するケーブルデータによりプログラムされるＰＲＯＭであってもよい。或いは、ケーブルデータは、別の種類のＲＯＭ又は他のメモリ内に格納される。例えば、（ケーブルデータを格納する）メモリは、レジスタ又はレジスタネットワークとして実施されるアナログメモリであってもよいし、又は、別のアナログメモリであってもよい。
【００２０】
幾つかの実施形態においては、ケーブルは、ケーブルにおける回路（例えば、シリアル装置）に接続され、かつこれにより駆動される、少なくとも１つのＬＥＤ（又は他の輻射線放射素子）を含む。幾つかの実施形態においては、ケーブルは、２つのシリアル装置（例えば、一方がケーブルの一端のコネクタにあり、別のものがケーブルの他端のコネクタにある）と、各々のシリアル装置により駆動される２つのＬＥＤ（又は他の輻射線放射素子）とを有する。各々のシリアル装置は、外部装置からの信号（コマンドとすることができるが、必ずしもそうである必要はない）に応答して（例えば、ケーブルデータチャネル上で、ケーブルデータチャネル上の通信を制御する、ケーブルに接続された送信機におけるシリアル装置マスタから受信されたコマンドを変換することにより）、駆動信号を生成するように構成されることが好ましい。駆動信号は、ＬＥＤ（又は他の輻射線放射素子）に、適切な色、明るさ、及び／又は、明滅パターンを生成させるようにすることができる。シリアル装置は、ＬＥＤ（又は他の輻射線放射素子）に、接続ステータス（例えば、ケーブルが送信機及び／又は受信機に適当に接続されているかどうか）、又はエラーの数、又は他の情報（例えば、信号送信又はケーブルのステータスを診断するための他の情報）を示す輻射線を放射させるようにすることができる。
【００２１】
送信機と受信機との間に接続された本発明のケーブルの実施形態を含むシステムにいては、送信機及び受信機の一方又は両方が、ＬＥＤ（又は他の輻射線放射素子）と、輻射線放射素子を駆動させるための回路とを含むことができる。各々の輻射線放射素子から放射された輻射線は、例えば、色、明るさ、又は明滅パターンを用いて、接続ステータス及び／又は他の情報を示すことにより、ケーブルの取り付けの案内、又は、接続の点検をすることができる。
【００２２】
（本発明のケーブル及び／又はこれに接続された外部装置における）各々の輻射線放射素子から放射された輻射線は、さらに、例えば、色、明るさ、及び明滅パターンを用いて、ケーブルにより送信されている信号の種類（又は複数の信号の種類）（例えば、デジタル信号、コンテンツ保護信号、又は音声信号）、又は、特定の信号活動を示すことができる。
【００２３】
幾つかの実施形態においては、本発明のケーブル内に格納されたケーブルデータは、ケーブルが保護ケーブル（送信機が安全に暗号化データを送信することができるもの）であるかどうかを示すデータを含む。幾つかの実施形態においては、ケーブルは、暗号キーの組を格納し、ケーブルにおけるシリアル装置は、送信機による検証動作を実行するように構成されており、送信機及びシリアル装置はそれら自体を識別し（このステップは、典型的にはキーの交換を含む）、送信機は、ケーブルが保護デジタルケーブルであるかどうかを判断する。本発明のケーブルの後者の実施形態の１つを含むシステムにおいては、送信機は、典型的には、さらに、受信機により検証動作を実行する。受信機及びケーブルにおけるシリアル装置の両方により検証動作が首尾よく完了したときには、送信機は、暗号化データをケーブルに送信し、暗号化データは、ケーブルにより受信機に伝播して、受信機において暗号化解除を受ける。例えば、送信機及び受信機の各々が暗号エンジンを含み、ＨＤＣＰプロトコルにより動作するように構成されている場合には、送信機、受信機、及びケーブルの各々はＨＤＣＰキーの組を格納することができる。送信機内に格納されたＨＤＣＰキーの組は、送信機特有の（又は送信機を含む少数の装置に特有の）少なくとも幾つかのキーを含み、受信機内に格納されたＨＤＣＰキーの組は、受信機特有の（又は受信機を含む少数の装置特有の）少なくとも幾つかのキーを含み、ケーブル内に格納されたＨＤＣＰキーの組は、ケーブル特有の（又はケーブルを含む少数の装置特有の）少なくとも幾つかのキーを含む。
【００２４】
好ましい実施形態においては、本発明のケーブルは、バイナリ信号の高速送信のために構成される。
【００２５】
実施形態のひとつの部類においては、本発明は、本発明のケーブルの実施形態のいずれかと、ケーブルに接続された送信機及び受信機を含むシステムである。他の実施形態においては、本発明は、本発明のケーブルの実施形態のいずれかに格納されたケーブルデータにアクセスし、及び／又は、本発明のケーブルの実施形態のいずれかのメモリからアクセスされたケーブルデータを用いるための方法である。
【発明を実施するための最良の形態】
【００２６】
実施形態のひとつの部類においては、本発明は、ケーブルデータを格納するケーブルであり、これは、送信機とケーブルに接続された受信機との間でデータを送信するための導線（少なくとも１つの導線、典型的には２つ又はそれ以上の導線）の組と、ケーブルデータを、ケーブルに接続された外部装置（例えば、送信機）に明示するためのシリアル装置と、を含む。導線の組の少なくとも１つの導線が、「ケーブルデータチャネル」として採用され、この上で、シリアル装置が、ケーブルデータを、逐次的に、ケーブルに接続された外部装置（例えば、送信機）に送信する。シリアル装置は、ケーブルデータチャネルに接続されており、ケーブルデータチャネル上で、ケーブルデータを外部装置に明示することにより、（送信機又はケーブルの外にあるがケーブルデータチャネルに接続された他の装置からの）ケーブルデータに対する要求に応答するように構成される。
【００２７】
好ましい実施形態においては、本発明のケーブルは、ケーブルデータを格納にする読み取り専用メモリ（ＲＯＭ）を含む。他の実施形態においては、本発明のケーブルは、ケーブルデータを格納するＲＯＭ以外のメモリを含む。例えば、幾つかの実施形態においては、本発明のケーブルは、アナログメモリを含む。例えば、アナログメモリは、ケーブルが装置に接続された場合に、装置内のアナログ回路がアナログメモリに接続されて、アナログ回路が、ケーブルデータを示す電流又は電圧（又は他の電気信号）を測定又は生成することにより、ケーブルデータを求める（読み取る）という点でケーブルデータを格納するレジスタ又はレジスタのネットワークとして実施することができ、ここでは、電気信号は、抵抗（又は、抵抗率）により求められ、これは次いで、アナログメモリにより求められる。
【００２８】
「シリアル装置」という表現は、ここでは、シリアルリンク上で、別の装置（例えば、送信機又は受信機）と通信することができる装置を示す。実施形態のひとつの部類（本発明のケーブルが送信機と受信機との間でＤＶＩリンクを実施する実施形態）においては、ケーブルの「シリアル装置」は、送信機内のＩ２Ｃマスタ装置とのＩ２Ｃ通信（例えば、ＤＶＩリンクのＤＤＣチャネル上でのＩ２Ｃマスタ装置とのＩ２Ｃ通信）のために接続されており、かつそのように構成されたインターフェース回路を含む。こうしたインターフェース回路は、Ｉ２Ｃスレーブプロトコルを実施し、送信機から受信したＩ２Ｃ制御ビットに応答して、インターフェース回路に接続されたＲＯＭからケーブルデータを（送信機に）明示する。
【００２９】
好ましい実施形態においては、導線の組の第１の導線のサブセット上で、ビデオデータ（及び／又は音声データ、及び／又は他のデータ）が逐次的に送信され、第２の導線のサブセットはケーブルデータチャネルを含む。典型的には、第２のサブセットは第１のサブセットとは区別できるものであるが、或いは、第２のサブセットは、第１のサブセットの少なくとも１つの導線を含む。
【００３０】
他の実施形態においては、導線の組の第１の導線のサブセット上で、ビデオデータ（及び／又は音声データ、及び／又は他のデータ）が並行して送信され、第２の導線のサブセットはケーブルデータチャネル（この上でケーブルデータが逐次的にケーブルの外にある装置に送信される）を含む。典型的には、第２のサブセットは第１のサブセットとは区別できるものであるが、或いは、第２のサブセットは、第１のサブセットの少なくとも１つの導線を含む。
【００３１】
図２、図３、図４、及び図５を参照して本発明のケーブルの実施形態を説明する。図２、図３、図４、及び図５の各々のシステムは、送信機と、受信機と、送信機と受信機との間のＤＶＩリンクとを含む。図２のケーブル３２は、送信機３１と受信機３３との間のＤＶＩリンクを実施するのに必要なすべての導線を含む導線の組３５を含む。ケーブル３２のコネクタ３４は、送信機３１に接続されて、組３５の各々の導線を、送信機３１の対応する端末に接続するように構成されており、ケーブル３２のコネクタ３６は受信機３３に接続されて、組３５の各々の導線の他端を、受信機３３の対応する端末に接続するように構成される。
【００３２】
図３のケーブル４２は、送信機４１と受信機４３との間のＤＶＩリンクを実施するのに必要なすべての導線を含む導線の組４５を含む。ケーブル４２のコネクタ４４は、送信機４１に接続されて、組４５の各々の導線を、送信機４１の対応する端末に接続するように構成されており、ケーブル４２のコネクタ４６は受信機４３に接続されて、組４５の各々の導線の他端を、受信機４３の対応する端末に接続するように構成される。
【００３３】
同様に、図４のケーブル５２は、送信機５１と受信機５３との間のＤＶＩリンクを実施するのに必要なすべての導線を含む導線の組５５を含む。ケーブル５２のコネクタ５４は、送信機５１に接続されて、組５５の各々の導線を、送信機５１の対応する端末に接続するように構成されており、ケーブル５２のコネクタ５６は受信機５３に接続されて、組５５の各々の導線の他端を、受信機５３の対応する端末に接続するように構成される。
【００３４】
導線の組３５、４５、及び５５の各々は、高速バイナリＮＲＺデータ（典型的にはビデオデータ又はビデオ及び音声データ）を送信するための３つの導線の対（「赤色」「緑色」及び「青色」の表示が付される）と、こうしたデータのクロック（ピクセルクロック）を送信するための導線の対（「クロック」と表示が付される）とを含む。導線の対３５、４５、及び５５の各々は、さらに、導線（「ＤＤＣ  ＣＬＫ」及び「ＤＤＣ  ＤＡＴＡ」と表示が付される）を含み、これらの各々は、図２、図３、及び図４のＤＶＩリンクのＤＤＣチャネルを含む。図２のＤＤＣチャネルは、送信機３１と受信機３３との間の（相対的に低速の）双方向通信のためのものであり、図３のＤＤＣチャネルは、送信機４１と受信機４３との間の（相対的に低速の）双方向通信のためのものであり、図４のＤＤＣチャネルは、送信機５１と受信機５３との間の（相対的に低速の）双方向通信のためのものである。各々のＤＶＩリンクのＤＤＣチャネルは、さらに、関連する送信機／受信機の対がＨＤＣＰプロトコルを実施するように構成されている場合には、ＨＤＣＰキーを共有するために使用することができる。
【００３５】
導線の組３５、４５、及び５５の各々は、さらに、ＤＤＣ電力ライン（「ＶＣＣ」及び「ＧＮＤ」と表示が付される）を含み、他の導線（図示せず）を含むことができる。
【００３６】
（送信機３１に示すように接続された）シリアル装置マスタ３８は、図２のＤＶＩリンクのＤＤＣチャネル上で、（受信機３３に示すように接続された）シリアル装置３９、及び、（ケーブル３２のコネクタ３６に示すように接続された）シリアル装置３７の各々とのシリアル通信を制御する（Ｉ２Ｃプロトコルにより）。（送信機４１に示すように接続された）シリアル装置マスタ４８は、図３のＤＶＩリンクのＤＤＣチャネル上で、（受信機４３に示すように接続された）シリアル装置４９、及び、（ケーブル４２のコネクタ４６に示すように接続された）シリアル装置４７の各々とのシリアル通信を制御する（Ｉ２Ｃプロトコルにより）。（送信機５１に示すように接続された）シリアル装置マスタ５８は、図４のＤＶＩリンクのＤＤＣチャネル上で、（受信機５３に示すように接続された）シリアル装置５９、（ケーブル５２のコネクタ５４に示すように接続された）シリアル装置６０、及び（ケーブル５２のコネクタ５６に示すように接続された）シリアル装置６１とのシリアル通信を制御する（Ｉ２Ｃプロトコルにより）。シリアル装置３７、３９、４７、４９、５９、６０、及び６１の各々は、Ｉ２Ｃインターフェースを含む。
【００３７】
シリアル装置３７は、本発明によりケーブルデータを格納するメモリ３７Ａを含む。好ましい実施形態においては、メモリ３７Ａは、ＲＯＭである（ケーブル製造業者がケーブルデータを書き込むマスクＲＯＭ、又は、ケーブルデータにより、製造段階でプログラムされるＰＲＯＭのいずれか）。或いは、メモリ３７Ａは他のメモリの別の種類である。
【００３８】
典型的には、ケーブルデータは、ケーブル製造業者、ケーブルの種類及び／又はケーブルの部類、日付コード、周波数依存の減衰テーブル、ＦＥＸＴ（遠端漏話）係数、ケーブルのインピーダンス、ケーブルの長さ（電気的長さ）、ケーブルグレード、ＥＭＩ関連係数、コモンモード放射、ケーブル速度、対間のスキュー、及びその他の情報のすべて又は幾つかを示す。
【００３９】
図３においては、（シリアル装置４７に接続された）メモリ４７Ａが本発明によるケーブルデータを格納する。メモリ４７Ａは、ＲＯＭとして実施されることが好ましい。
【００４０】
（図４の）シリアル装置６０及び６１と（図５の）シリアル装置７７の各々は、さらに、本発明によるケーブルデータを格納するメモリ（好ましくはＲＯＭ）を含む。ケーブル３２、５２、又は７２の変形態様においては、ケーブルのシリアル装置（例えば、シリアル装置３７、４７、又は７７を置き換えるシリアル装置）は、ケーブルデータを格納するメモリは含まないが、ケーブルは、ケーブルのシリアル装置から区別でき、これに接続されるメモリを（そのコネクタの１つに）含む。
【００４１】
ケーブル３２、４２、及び５２の各々は、ケーブル内に格納されたケーブルデータに対する要求に応答するように構成された内蔵アクティブシリアル装置（典型的には、集積半導体回路として実施される）を含むという点で、インテリジェントケーブルである。ケーブル上のシリアル装置の各々（例えば、３７、４７、６０、又は６１）の各々は、（例えば、市販のモジュール又はこうしたモジュールの修正形態として）市販の技術を用いて実施することができる。
【００４２】
通常、ＤＶＩリンクのＤＤＣチャネルは、拡張ディスプレイ識別（「ＥＤＩＤ」）メッセージを受信機と関連付けられたモニタから送信機に送信し、モニタのための制御信号を送信機から送信するために用いられる。ＥＤＩＤメッセージは、モニタの種々の特性を指定する。図２のシステムにおいては、装置３８及び３９が、これらの通常の動作を実行するように構成されている。例えば、装置３８は、ＤＤＣチャネル上で、ＥＤＩＤ要求を装置３９に明示するように構成されており、装置３９は、ＤＤＣチャネル上で、ＥＤＩＤメッセージを装置３８に送信することにより、こうした要求に応答するように構成されている。Ｉ２Ｃプロトコルは、幾つかのシリアル装置が一対の導線に沿って接続されることを可能にし、Ｉ２Ｃマスタ装置（例えば、装置３８）がこうしたシリアル装置のいずれかの望ましいものと通信することを可能にする。従って、本発明によれば、装置３８は、装置３９に照会して、受信機３３が等化能力を有するかどうかを判断するように構成されており（そして装置３９はこうした照会に応答するように構成されており）、装置３８は、さらに、ケーブル３２内に格納されたケーブルデータに対する要求を装置３７に明示するように構成されている（そして装置３７は、こうした要求に応答するように構成されている）。
【００４３】
図３及び図４のシステムにおいては、装置４８、４９、５８、及び５９は、前の段落に説明された通常のＤＤＣチャネル動作を実行するように構成される。本発明によれば、装置４８は、装置４９に照会して、受信機４３が等化能力を有するかどうかを判断するように構成されており（そして装置４９はこうした照会に応答するように構成されており）、装置４８は、さらに、ケーブル４２内に格納されたケーブルデータに対する要求を装置４７に明示するように構成されており（そして装置４７は、ＤＤＣ  ＣＬＫ及びＤＤＣ  ＤＡＴＡラインの一方又は両方において、逐次様式で、メモリ４７Ａからのケーブルデータを装置４８に明示することにより、こうした要求に応答するように構成されており）、装置５８は、受信機５３が等化能力を有するかどうかを判断するように構成されており（そして装置５９はこうした照会に応答するように構成されており）、装置５８は、ケーブル５２内に格納されたケーブルデータに対する要求を装置６０又は６１に明示するように構成されており（そして装置６０及び６１の関連するものは、ＤＤＣ  ＣＬＫ及びＤＤＣ  ＤＡＴＡラインの一方又は両方において、逐次様式で、ケーブルデータを装置５８に明示することにより、こうした要求に応答するように構成されている）。
【００４４】
他の実施形態においては、本発明のケーブルは、ＤＶＩリンクではないが、ＤＤＣチャネルを含むリンクを実施するのに用いられ、その導線の組は、ＤＤＣチャネルを実施するためのディスプレイ・データ・チャネル（「ＤＤＣ」）ラインを含む。ケーブルは、（ケーブル内のメモリからアクセスされる）ケーブルデータを、ＤＤＣラインの少なくとも１つ（例えば、逐次様式で、ＤＤＣラインに接続された外部装置への送信のために）に明示することにより、（ＤＤＣラインの少なくとも１つにおいて受信された）ケーブルデータに対する要求に応答するように構成されたシリアル装置を含むことが好ましい。
【００４５】
図３のシステムが図２と異なる１つの点は、ケーブル４２は等化ネットワーク５０を含み、図２のケーブル３２は等化回路を含まないことである。ネットワーク５０は、ビデオデータチャネル（導線「赤色」「緑色」及び「青色」）及びピクセルクロックチャネルの各々に等化フィルタを含む。等化ネットワーク５０は、典型的には、受動回路として実施される。ケーブル４２のメモリ４７Ａ内に格納されたケーブルデータは、ケーブル４２に等化ネットワーク５０が備えられていることを示し、等化ネットワーク５０の少なくとも１つの特性又はパラメータを示すことが好ましい。装置４７は、ＤＤＣチャネル上で、逐次様式で、等化データを装置４８に送信することにより、装置４８からのケーブルデータ要求に応答するように構成されることが好ましい。送信機４１は、ビデオデータチャネル及びピクセルクロックチャネル上で送信されるべきデータ信号及びクロック信号を等化するかどうかについて、及び、等化する場合には、どの等化をこうしたデータ信号及びクロック信号に適用するかについて、それ自体の判断で、等化データを入力として用いるように構成されることが好ましい。例えば、送信機４１は、ケーブル５２からの等化データを用いて、ビデオデータチャネル及びピクセルクロックチャネル上の送信後（及びネットワーク５０における等化中）、受信機４３で受信されるデータ信号及びクロック信号の過等化をもたらすことがないプリエンファシス値を選択する。
【００４６】
ケーブルにおける等化ネットワーク（例えば、等化ネットワーク５０）は、発散及び反射を減少させるのに有益である。非常に長いケーブル上で信号を送信する場合には、送信機は、典型的には、送信されるべき信号を能動的に押し上げて、送信中に予測される損失を緩和し、典型的には、さらに、ケーブル上で送信された各々の差分信号（例えば、図２、図３、図４又は図５のシステムにおいて、「赤色」「緑色」「青色」及び「クロック」と表示が付される導線の対の各々において送信された差分信号）のスキュー除去をして、対間のスキューを緩和する。
【００４７】
図４のシステムは、図４のケーブル５２は１つではなく、２つのシリアル装置（６０、６１）を含むこと、ケーブル５２の各々のシリアル装置は発光ダイオード（ＬＥＤ）に接続されていること、すなわち、送信機５１はＬＥＤ６５を含み（送信機３１はＬＥＤを含まない）、及び、受信機５３はＬＥＤ６４を含む（受信機３３はＬＥＤを含まない）という幾つかの点で、図２と異なる。ケーブル５２のＬＥＤ６２はシリアル装置６０に接続され、これにより駆動されて、ケーブル５２のＬＥＤ６３はシリアル６１に接続され、これにより駆動される。図４のシステムの変形態様においては、ＬＥＤの少なくとも１つが別の種類の輻射線放射素子により置き換えられる。
【００４８】
図４においては、装置６０は、ＤＤＣチャネル上で、送信機５１内の装置５８から受信した命令を変換することにより、ＬＥＤ６２のための駆動信号を生成するように構成することが好ましい。装置６１は、ＤＤＣチャネル上で、受信機５３内の装置５９から受信した命令、又は、送信機５１内の装置５８から受信した命令を変換することにより、ＬＥＤ６３のための駆動信号を生成するように構成することが好ましい。駆動信号に応答して、ＬＥＤ６０及び６１は、望ましい適切な色、明るさ、及び／又は、明滅パターンを有する輻射線を放射する。シリアル装置６０により明示された駆動信号は、ＬＥＤ６２に、接続ステータス（例えば、コネクタ５４が送信機５１に適当に接続されているかどうか）、又はエラーの数、又は他の情報（例えば、信号送信ステータス又はケーブル５２のステータスを診断する他の情報）を示す輻射線を放射させるようにすることができる。シリアル装置６１により明示される駆動信号は、ＬＥＤ６３に、接続ステータス（例えば、コネクタ５６が受信機５３に適当に接続されているかどうか）、又はエラーの数、又は他の情報（例えば、信号送信又はケーブル５２のステータスを診断する他の情報）を示す輻射線を放射させるようにすることができる。
【００４９】
図４のシステムにおいては、送信機５１は、ＬＥＤ６５を駆動させるための回路を含み、受信機５３はＬＥＤ６４を駆動させるための回路を含む。送信機５１は、ＬＥＤ６５を駆動させて、ＬＥＤ６５から放射される輻射線の色、明るさ、及び／又は、明滅パターンが、ケーブル取り付けの案内、又は、接続の点検に有益になるように構成することが好ましい（例えば、輻射線は、ケーブル５２が送信機５１及び受信機５３の一方又は両方に接続されているかどうかを示す）。受信機５３は、ＬＥＤ６４を駆動させて、ＬＥＤ６４から放射される輻射線の色、明るさ、及び／又は、明滅パターンが、ケーブル取り付けの案内、又は、接続の点検に有益になるように構成することが好ましい（例えば、輻射線は、ケーブル５２が送信機５１及び受信機５３の一方又は両方に接続されているかどうかを示す）。
【００５０】
ＬＥＤ６２、６３、６４、及び６５のすべて又は幾つかから放射される輻射線の色、明るさ、及び／又は、明滅パターンは、さらに、ケーブル５２により送信されている信号の種類（又は複数の信号の種類）を示すことができ（例えば、信号がデジタル信号であるか、コンテンツ保護信号であるか、又は音声信号であるか）、及び／又は、特定の信号活動を示すことができる。
【００５１】
ＬＥＤ６２及び／又は６３から放射される輻射線の色、明るさ、及び／又は、明滅パターンは、データ自体に応答して（すなわち、送信機５１から受信機５３に送信されているデータに応答して）変化することができる。送信機５１内のシリアル装置５８又は受信機５３内の装置５９は、（ＤＤＣチャネルにより）データに関する特定の情報を示す信号を明示し、シリアル装置６０及び／又は６１は、こうした信号をＬＥＤ駆動信号に変換することが好ましい。
【００５２】
ＬＥＤ６２、６３、６４、及び／又は６５のすべて又は幾つかから放射される輻射線の色、明るさ、又は、明滅パターンをどのように用いることができるかについての例は、多数のケーブルを採用するシステム（例えば、複数のケーブルが複数の装置間に接続されており、複数のケーブルを２つの装置間に接続することができる、典型的なスタジオにおけるシステム）におけるケーブル管理、及び、ケーブル問題のデバッグである。こうしたシステムにおいては、適切なケーブルを適当な装置に接続し、ケーブルの接続を常時監視することは、困難なタスクになることがある。装置の対に対応する各々のケーブルにおけるＬＥＤは、特定の色又はオン／オフの光パターンを放射することができ、ケーブル対応にする各々の装置におけるＬＥＤは、特定の色及び／又はパターンを放射することができる。こうしたＬＥＤが利用可能である場合には、ユーザは、「エラー」ステータスを判断するために、特定の輻射線を放射する（又は放射しない）ケーブルをチェックするだけでよい。すなわち、ユーザは、特定の色及び／又は明滅光パターンを表示するすべての装置とケーブルとを適合させることができる。
【００５３】
ＬＥＤ６２及び／又はＬＥＤ６３が多色ＬＥＤとして実施される場合には、（信号の種類及び／又は信号活動を示す輻射線を放射させるように）ＬＥＤ６２及び／又はＬＥＤ６３を制御する回路は、より簡単に実施することができる。
【００５４】
次に、送信機７１と、受信機７３と、送信機７１と受信機７３との間に接続されたケーブル７２とを含む図５のシステムについて説明する。図２の対応する要素と同一の図５の要素は、図２及び図５において同一の番号が付けられており、これらについての上記の説明は繰り返されない。送信機７１は、暗号エンジン８８と（暗号エンジン８８により生成される暗号化データを符号化し、符号化された暗号化データをシリアル化し、シリアル化データを送信するための）エンコーダ／シリアライザ回路８９とを含む。受信機７３は、（ケーブル７２から受信した、エンコードされた、暗号化データを復号化し、デシリアル化するための）デシリアライザ／デコーダ回路９９と、回路９９から出力された復号化データを暗号化解除するための暗号エンジン９８とを含む。ケーブル７２のシリアル装置７７は、図２のシリアル装置３７により実行されるすべての動作を実行するように構成されており、ケーブルデータを格納するためのメモリを含む。好ましい実施においては、装置７７内に格納されるケーブルデータは、ケーブル７２が、送信機７１が安全に暗号化データを送信することができる保護ケーブルであるかどうかを示すデータを含み、送信機７１は、ケーブル７２が保護ケーブルであることを示すケーブルデータを受信しなければ、及びこうしたデータを受信するまで、暗号化データをケーブル７２に送信しないように構成される。
【００５５】
他の好ましい実施形態においては、装置７７は、暗号化キーの組を格納する。この種の実施においては、異なる暗号化キーの組が、暗号化エンジン８８、暗号化エンジン９８、及びケーブル７２の各々に格納され、装置７７は、ＤＤＣチャネル上で、送信機７１による検証動作を実行するように構成されることが好ましい。この検証動作においては、送信機７１及び装置７７は、これら自体を識別し（このステップは、典型的には、キーの交換を含む）、送信機７７はケーブル７２が保護デジタルケーブルであるかどうかを判断する。送信機７１は、さらに、受信機７３と直接、別の検証動作を実行する（例えば、ＤＤＣチャネル上で実行される通常の検証動作）。受信機７３及びシリアル装置７７両方との検証動作が首尾よく完了したとき、送信機７１は、暗号化データをケーブル７２に送信し、暗号化データは、ケーブルを通って受信機７３に伝播し、暗号エンジン７９において暗号化解除を受ける。
【００５６】
実施形態のひとつの部類においては、暗号エンジン８８及び９８並びに装置７７は、ＨＤＣＰプロトコルにより動作し、これらの各々はＨＤＣＰキーの組を格納する。図５のシステムのこうした実施形態の動作中（送信機７１による暗号化データの送信前）、送信機７１は、装置７７及び受信機７３の各々と検証動作を実行し、両方の検証動作が首尾よく完了するまで、暗号化データをケーブル７２に送信することはない。送信機７１と受信機７３との間の検証動作は、通常のＨＤＣＰ検証動作とすることができる。送信機７１と装置７７との間の検証動作もまた通常のＨＤＣＰ動作とすることができ、又は、通常のＨＤＣＰ検証動作の修正形態とすることができる。送信機内に格納されるＨＤＣＰキーの組は、送信機特有の（又は、送信機を含む少数の装置特有の）少なくとも幾つかのキーを含み、受信機内に格納されるＨＤＣＰキーの組は、受信機特有の（又は、受信機を含む少数の装置特有の）少なくとも幾つかのキーを含み、ケーブル内に格納されるＨＤＣＰキーの組は、ケーブル特有の（又は、ケーブルを含む少数の装置特有の）少なくとも幾つかのキーを含む。
【００５７】
説明される実施形態のいずれかにおいて、送信機内のシリアルバスマスタ（シリアル装置３８、４８、５８、又は７８）は、ケーブルが送信機に取り付けられるとすぐに、（ケーブルにおけるシリアル装置と通信することにより）、ケーブルデータを取得するように構成されることが好ましい。送信機におけるシリアルバスマスタは、さらに、受信機内のシリアル装置（装置３９、４９、５９、又は７９）に照会して、受信機が等化能力を有するかどうかを判断するように構成され、受信機内のシリアル装置は、（受信機の等化能力を示す）受信機データを、こうした照会に応答して、逐次的に、送信機に明示するように構成されることが好ましい。送信機は、ケーブル及び受信機から取得されたケーブルデータ及び受信機データを用いて、以下の動作の少なくとも１つ（好ましくはすべて）を実行するように構成されることが好ましい。
【００５８】
ケーブル上でデータ信号及びクロック信号を送信する前に、送信機においてデータ信号及びクロック信号を等化するのに最適なプリエンファシス値を求め、（受信機においてデータ信号及びクロック信号を等化するのに）最適な受信機等化値を求め、この両方が、ケーブル上で、受信機への特定のデータ送信速度を呈するようにすること。
【００５９】
等化データ及び／又は制御ビットを受信機に送って、受信機における等化回路（例えば、図５の受信機７３のデシリアライザ／デコーダ回路９９における等化）の少なくとも１つのパラメータを設定する（又は、受信機に設定させる）こと。例えば、送信機は、ケーブルデータ（及び／又はケーブルデータに応答して生成された制御ビット）の少なくとも幾つかを受信機に送信して、受信機が少なくとも１つの等化パラメータを設定するようにこれを用いることができる。
【００６０】
ケーブル上で送信されるべきビデオデータ（例えば、ＲＧＢデータ）をスキュー処理して、漏話を最小にすること。
【００６１】
ケーブルの導線の対において送信される少なくとも１つの差分信号の２つの成分をスキュー処理して、送信中にもたらされるＥＭＩ及び対間のスキューを最小にすること（例えば、図２、図３、図４、又は図５のシステムにおいて「赤色」「緑色」「青色」及び「クロック」と表示が付される導線の対の各々において送信される少なくとも１つの差分信号の２つの成分をスキュー処理する）。
【００６２】
データビット又は制御ビットを受信機に送って、受信機における終端回路（例えば、図５の受信機７３のデシリアライザ／デコーダ回路９９における終端回路）の少なくとも１つのパラメータを設定する（又は受信機に設定させる）こと。例えば、送信機は、制御ビットを受信機に送って、受信機が、図２、図３、図４、又は図５のシステムにおいて「赤色」「緑色」「青色」及び「クロック」と表示が付される導線の対の各々に接続された終了のインピーダンスを調整するように指示して、特定のインピーダンスをもつこうした導線の対の各々の導線を終了させるようにする。
【００６３】
実施形態のひとつの部類においては、本発明のケーブルは、（例えば、ケーブル案内情報の表示を示すことにより）、情報をユーザ又は外部装置に明示するように構成されたサブシステムを含む。こうした実施形態においては、ケーブルは、ケーブル案内情報をユーザ又は外部装置に明示することにより（例えば、ケーブル案内情報の表示を示すことにより）、少なくとも１つのケーブル案内機能を実施する。例えば、ケーブル案内情報は、ケーブルの一端が既知の種類の装置に接続された場合に、どのような種類の装置が、ケーブルの自由端に接続されるべきかを示すことができる。こうした実施形態においては、ケーブルにおける回路は、ケーブルの一端が既知の種類の装置に接続されたと判断した場合に、ケーブルの自由端が接続されるべき装置の種類の表示を示すようにさせる。
【００６４】
この部類の典型的な実施形態においては、ケーブルの一端が装置に接続されている場合には、ケーブル内の回路（例えば、シリアル装置）は、ケーブルが接続されている装置を判断し、自動的に、ケーブルの他端が接続されるべき装置を示す。例えば、ケーブルは、例えば、ケーブルにおけるＬＥＤに、この情報を示す輻射線を放射させることにより、ケーブルの自由端が接続されるべき装置の種類の表示を示す。（ケーブルの自由端が接続されるべき）ターゲット装置が適合する表示（ケーブルを受け入れるべきターゲット装置のコネクタを識別する）を示すように構成されている場合には、ユーザは、（ラック上で取り付けられた多数の視聴覚装置の１つとすることができる）ターゲット装置のコネクタの１つの近くにある適合する表示（例えば、同じ色のグロー（ｇｌｏｗ））を見出して、ケーブルの自由端をそのコネクタに接続するだけでよい。
【００６５】
この部類の実施形態は、（ケーブルに接続された）外部装置で行って、電力をケーブル内の回路に供給するように実施することができる。或いは、本発明のケーブルは、電力をケーブル内のシリアル装置又は他の回路に供給するためのそれ自体の電源を含むことができる。ケーブルが、ケーブルの一端における表示装置（例えばモニタ）と、ケーブルの他端におけるホスト、コンピュータ、セット・トップ・ボックス、又は同様な装置との間に接続される典型的な表示システムにおいては、ケーブルの両端における装置の電源は、ケーブル内の電力ラインに接続される。例えば、ＤＶＩ／ＨＤＭＩ標準ケーブルのホット・プラグ検出（ＨＰＤ）ラインは、ケーブルが接続されるモニタ（又は他の表示装置）により電力供給され、こうしたケーブルのＤＤＣ電力ラインは、ケーブルの他端が接続されるホスト（又はコンピュータ或いはセット・トップ・ボックス）により電力供給される。
【００６６】
図６の送信機５１と受信機５３との間に接続されたケーブル８２は、３つの先行する段落において説明された実施形態の例である。図６の送信機５１及び受信機５３は、図４の送信機５１及び受信機５３と同一である。図４のケーブル５２の対応する要素と同一のケーブル８２の要素は、図４及び図５において同一の番号が付けられている。ケーブル８２は、このケーブルのコネクタ８４が、図４のシリアル装置６０ではなく、（ケーブル８２のＤＤＣ電力ライン「ＶＣＣ」及び「ＧＮＤ」と、ＬＥＤ６２及びＬＥＤ６３の各々とに接続された）ＬＥＤ駆動回路８５を含み、かつ、ケーブル８２のコネクタ８６が、図４のシリアル装置６１ではなく、（ケーブル８２のＨＰＤ及びＤＤＣ接地ライン「ＧＮＤ」と、ＬＥＤ６２及びＬＥＤ６３の各々とに接続された）ＬＥＤ駆動回路８７を含むという点で、ケーブル５２と異なる。図６の実施形態の変形態様においては、回路８７及びＬＥＤ６３が省かれ、又は回路８５及びＬＥＤ６２が省かれる。
【００６７】
図６のＬＥＤ駆動回路８５及び８７は、導線５５のいずれによっても送信機５１又は受信機５３と通信することはない。その代わりに、ＬＥＤ駆動回路８５は、ケーブル８２内のＤＤＣ電力ラインを監視して、ケーブル８２が、ＤＤＣ電力ライン間で少なくとも所定の最小電圧を維持する装置にいつ接続されるかを求める。ＤＤＣ電力ライン間のこうした最小電圧の存在は、コネクタ８４又は８６が送信機に接続されていることを示す（電力は、常に、送信機によりＤＶＩリンクのＤＤＣチャネルに供給されるため）。回路８５は、ＬＥＤ６２及びＬＥＤ６３に、ＤＤＣ電力ライン間の電圧が最小電圧を超えたという判断に応答して、ケーブル８２の自由端が表示装置のＤＶＩコネクタに接続されるべきであるという表示を示すようにさせる。
【００６８】
ＬＥＤ駆動回路８７は、ケーブル８２内のホット・プラグ検出（ＨＰＤ）ラインの電位を監視して（ＨＰＤラインは図６に示されており、図２、図３、図４、及び図５のケーブル３２、４２、５２、及び７２の各々に存在するが、図示されていない）、ＨＤＰライン上で少なくとも所定の最小電位（すなわち、ＨＰＤラインと基準電位との間の所定の最小電圧）を維持する装置にいつ接続されるかを求める。ＨＰＤライン上の最小電位の存在は、コネクタ８４又は８６が受信機に接続されていることを示す（電力は、常に、典型的には表示装置である受信機によりＤＶＩリンクのＨＰＤラインに供給されているため）。回路８７は、ＬＥＤ及びＬＥＤ６３に、ＨＰＤラインの電位が最小電位を超えたという判断に応答して、ケーブル８２の自由端がビデオ源（例えば、ホスト、コンピュータ、又はセット・トップ・ボックス）のＤＶＩコネクタに接続されるべきであるという表示を示すようにさせる。
【００６９】
図６の実施形態においては、回路８５及び回路８７の各々は、要求に応じて、ケーブル８２に接続された装置（送信機５１又は受信機５３）から電力を消費して、ＬＥＤ６２及び６３を駆動させるかを判断して、ＬＥＤを適切なときに駆動させる。本発明の別の実施形態においては、本発明のケーブルは、適切なケーブル案内情報を表示する（或いは別の方法によりユーザ又は外部装置に明示する）ため、及び、いつケーブル案内情報を明示するかを判断するために必要な電力を供給するためのそれ自体の電源を含む。
【００７０】
図６の実施形態の変形態様においては、本発明のケーブル内の回路は、装置がケーブルの一端に接続されていると判断したときに、ケーブルに、ケーブルの他端におけるコネクタが接続されるべき装置の種類の表示を示すようにさせる。例えば、幾つかのこうした実施形態においては、回路が、ＨＰＤラインが始動されたことを検出した場合には、ケーブルの一端が表示装置の特定の種類のコネクタ（例えば、ＤＶＩコネクタ）に接続されていると知り、ケーブルの他端がホスト（又はコンピュータ或いはセット・トップ・ボックス）の特定の種類のコネクタ（例えば、ＤＶＩコネクタ）に接続されるべきであるという表示を示す。回路が、ＤＤＣ電力がオンであると判断した場合には、ケーブルの一端がホスト（又はコンピュータ或いはセット・トップ・ボックス）に接続されていると知り、ケーブルの他端が表示装置の特定の種類のコネクタ（例えば、ＤＶＩコネクタ）の特定の種類に接続されるべきであるという表示を示す。回路は、ケーブルの一端（又は両端の各々）におけるＬＥＤに、ケーブルの自由端が示される種類（例えば、放射された輻射線により示される種類）の装置に接続されるべきであることを示す輻射線を放射させるようにすることができ、又は、ケーブルにおける他の表示手段のいずれかに、自由端が、示される種類の装置に接続されるべきであることを示すようにさせることができる（例えば、輻射線を放射することにより）。任意的には、ケーブル内の回路は、ケーブルの両端におけるＬＥＤ（又は他の表示手段のいずれか）に、各々の端部が示される種類の装置に接続されている又は接続されるべきであるかどうかを示す輻射線を放射する（或いは他の方法により示す）ようにさせることができる。
【００７１】
幾つかの実施形態においては、ケーブルは、ケーブルの一端においてのみ表示を示す（又は、ケーブルの異なる端部において異なる表示を示す）が、このことは、検出スキームにおいてより精巧さを必要とする。同じ表示をケーブル（例えば、図６のケーブル８２）の両端で示す実施形態は、典型的には、実施がより簡単である。
【００７２】
本発明のケーブル内のシリアル装置（又は他の回路）は、種々の方法のいずれかにおいて、ケーブル案内情報（又は他の情報）を表示することができる。例えば、回路は、ＬＥＤに、ケーブルの一端のみがフックアップされた場合に明滅させ、ケーブルの両端が適当に接続された場合には、回路は、ＬＥＤに安定した光を放射させて、両端の首尾よい接続を示すようにさせることができる。或いは、回路は、表示の色又は表示の明るさを変更して、適切なケーブル案内情報を示すことができる。本発明によるケーブル案内情報の表示は、ケーブルを、種々の非常に似ているが、両立しないコネクタと適合させることができる場合に有益とすることができる。ケーブルが、接続されると想定される適当な装置のコネクタに接続されていない場合には、ケーブルは、「首尾よい接続」信号を示すべきではない。任意的には、ケーブルが正しい装置の正しいコネクタに接続されている場合でも、接続が何らかの電気的又は機械的意味において適当ではない場合には、ケーブルは首尾よい接続の信号を示すことはない。この機能性は、複雑なシステムが適当に作動せず、ユーザが、複雑なウェブの接続の確立中、何が不適切なのかを見出すタスクに直面した場合に、ユーザの欲求不満を大幅に減少させることができる。
【００７３】
上述の実施形態の変形態様においては、本発明のケーブルは、ＲＯＭ内以外にケーブルデータを格納する。例えば、幾つかの実施形態においては、本発明のケーブルは、ケーブルデータをレジスタ内又は他の書き込み可能メモリ内（例えば、外部装置が新規なデータを書き込んで、以前格納されたケーブルデータを補完することができる、又は、外部装置が更新されたケーブルデータを書き込んで、以前格納されたケーブルデータを置き換えることができるメモリ）に格納する。
【００７４】
他の実施形態（例えば、図７に関して説明される実施形態）においては、本発明のケーブルは、ケーブルデータを格納するアナログメモリを含む。図７のケーブル９２は、等化ネットワーク５０、シリアル装置４７、及びメモリ４７Ａがなく、その代わりにアナログメモリ９７を含むという点で図３のケーブル４２と異なる。アナログメモリ９７は、（説明される意味で）ケーブルデータを格納し、これは、ケーブル９２のＤＤＣ電力ライン「ＶＣＣ」及び「ＧＮＤ」に接続され、レジスタ又はレジスタネットワークとして実施することができる。ケーブルが装置（送信機９１又は受信機９３）に接続されている場合には、装置内のアナログ回路（図７には特に示されていない）がＤＤＣ電力ラインによりアナログメモリ９７に接続される。アナログ回路は、所定の電圧をＤＤＣ電力ライン「ＶＣＣ」及び「ＧＮＤ」にわたり明示することに応答して、ケーブルデータを示す電流（又は他の電気信号）を生成又は測定することにより、ケーブルデータをメモリ９７から「読み取る」。この電流（又は他の電気信号）は、抵抗（又は抵抗率）により求められ、これは次いで、アナログメモリ９７を構成するレジスタ又は複数のレジスタにより求められる。
【００７５】
実施形態の別の部類においては、本発明は、ケーブル内に格納されたケーブルデータを外部装置に与えるための方法であり、この方法は、外部装置からの要求を、ケーブルの少なくとも１つの導線に明示するステップと、ケーブルデータの少なくとも幾つかにアクセスすることによりこの要求に応答し、ケーブルの少なくとも１つの導線上で、アクセスされたケーブルデータを、逐次的にケーブルから外部装置に送信するステップとを含む。外部装置が、プリエンファシスをコンテンツデータに適用するように構成された送信機である場合には、この方法は、さらに、ケーブルから受信したケーブルデータの少なくとも幾つかに応答して、プリエンファシスをコンテンツデータに適用する際に用いるためのプリエンファシス値を求めるステップを含むことができる。外部装置が、ケーブル上でデータを受信機に送信するように構成された送信機であり、受信機が、データの等化を実行するように構成されている場合には、この方法は、さらに、送信機において受信したケーブルからのケーブルデータの少なくとも幾つかに応答して、少なくとも１つの前述の等化パラメータを設定するステップと、受信機において、少なくとも１つの等化パラメータによりデータの等化を実行するするステップとを含むことができる。外部装置が、ケーブル上で、データを、終端回路を有する受信機に送信するように構成された送信機である場合には、この方法は、さらに、送信機においてケーブルから受信したケーブルデータの少なくとも幾つかに応答して、終端回路を構成するステップを含むことができる。
【００７６】
実施形態の別の部類においては、本発明は、導線の組と情報明示サブシステムとを含むケーブルからのケーブル案内情報を明示するための方法であり、前述の方法は、（ａ）導線の組の少なくとも１つの導線を監視するステップと、（ｂ）導線の組の少なくとも１つの導線の状態における変化に応答して、ケーブル案内情報を情報明示サブシステムから明示するステップとを含む。幾つかの実施形態においては、ステップ（ｂ）は、導線の組の前述の少なくとも１つの導線の状態における変化に応答して、ケーブル案内情報を示す輻射線を放射して、装置がケーブルに接続されたことを示すようにするステップを含む。幾つかの実施形態においては、ステップ（ｂ）は、導線の組の前述の少なくとも１つの導線の状態における変化に応答して、ケーブル案内情報を示す輻射線を放射して、第１の種類の装置がケーブルに接続されたことを示すようにするステップを含み、ここでケーブル案内情報は、ケーブルの自由端が接続されるべき第２の種類の装置を示す。
【００７７】
ケーブルが導線の組を含む場合には、外部装置は、ケーブル上でデータを受信機に送信するように構成された送信機であり、要求は、送信機から、導線の組の第１の導線のサブセットに明示され、アクセスされたケーブルデータは、第１の導線のサブセット上で、外部装置に送信され、この方法は、さらに、導線の組の第２の導線のサブセット上で、コンテンツデータを送信機から受信機に送信するステップを含むことができる。ケーブルが、ディスプレイ・データ・チャネルライン及びその他の導線を含む場合には、外部装置は、ケーブル上で、データを受信機に送信するように構成された送信機であり、要求は、送信機からディスプレイ・データ・チャネルラインの少なくとも１つに明示され、アクセスされたケーブルデータはディスプレイ・データ・チャネルラインの少なくとも１つにおいて送信され、この方法は、さらに、他の導線の少なくとも１つにおいて、コンテンツデータを受信機に送信するステップを含むことができる。
【００７８】
ケーブルが輻射線放射素子を含む場合には、この方法は、さらに、ケーブルの少なくとも１つの導線上で、コマンドを外部装置からケーブルに明示するステップと、コマンドに応答して、ケーブル内の回路を動作させて、輻射線放射素子のための駆動信号を生成するステップと、任意的に、さらに、駆動信号に応答して、輻射線放射素子から輻射線を放射して、この輻射線が、コマンドの少なくとも１つにより定められた色、明るさ、及び明滅パターンの少なくとも１つを有するようにするステップとを含む。
【００７９】
外部装置が送信機であり、ケーブルが暗号キーの組を格納する場合には、この方法は、さらに、ケーブルにおける回路を動作させて、ケーブルの少なくとも１つの導線において、キーの組の少なくとも１つの暗号キーを送信機に送信することにより、送信機によって検証動作を実行するステップを含むことができる。
【００８０】
本発明の幾つかの実施形態がここで図示され説明されたが、本発明は、特許請求の範囲により定義されかつ説明され、示される特定の実施形態に限定されないことを理解すべきである。
【図面の簡単な説明】
【００８１】
【図１】（１つのＴＭＤＳリンクを含む）ＤＶＩリンク上で、データを送信するための通常のシステムのブロック図である。このシステムは、送信機と、受信機と、送信機と受信機との間のケーブルとを含む。
【図２】送信機と、受信機と、送信機と受信機との間の本発明のケーブルの実施形態のブロック図である。
【図３】送信機と、受信機と、送信機と受信機との間の本発明のケーブルの別の実施形態（等化回路を含む）のブロック図である。
【図４】送信機と、受信機と、送信機と受信機との間の本発明のケーブルの別の実施形態（各々がＬＥＤに接続された２つのシリアル装置を含む）のブロック図である。
【図５】送信機及び受信機の各々が暗号エンジンを含む、送信機と、受信機と、送信機と受信機との間の本発明のケーブルの別の実施形態のブロック図である。
【図６】送信機と、受信機と、送信機と受信機との間の本発明のケーブルの別の実施形態のブロック図である。
【図７】送信機と、受信機と、送信機と受信機との間の本発明のケーブルの別の実施形態のブロック図である。
【図１】
2007535235.tif 000003
【図２】
2007535235.tif 000004
【図３】
2007535235.tif 000005
【図４】
2007535235.tif 000006
【図５】
2007535235.tif 000007
【図６】
2007535235.tif 000008
【図７】
2007535235.tif 000009
【手続補正書】
【提出日】平成18年8月17日(2006.8.17)
【手続補正１】
【補正対象書類名】特許請求の範囲
【補正対象項目名】全文
【補正方法】変更
【補正の内容】
【特許請求の範囲】
【請求項１】
導線の組と、
ケーブルの少なくとも１つの特性を示すケーブルデータを格納するメモリと、
前記導線の組の少なくとも１つの導線に接続されており、前記ケーブルデータの少なくとも１つにアクセスして、前記アクセスされたデータを逐次的に前記導線の組の少なくとも１つの導線に明示することにより、前記導線の組の少なくとも１つの導線において受信されたデータの要求に応答するように構成された回路と、
を含むケーブル。
【請求項２】
前記ケーブルがシリアル装置を含み、前記シリアル装置が前記回路を含む請求項１に記載のケーブル。
【請求項３】
前記メモリが、前記シリアル装置の要素である請求項２に記載のケーブル。
【請求項４】
前記ケーブルデータが、前記ケーブルの製造業者、前記ケーブルの種類、前記ケーブルの部類、周波数依存の減衰テーブル、遠端漏話係数、前記ケーブルのインピーダンス、前記ケーブルの長さ、前記ケーブルのグレード、及び日付コードの少なくとも１つを示すデータを含む請求項１に記載のケーブル。
【請求項５】
導線の組と、
前記導線の組の少なくとも１つに接続されており、ケーブル案内情報を明示することにより、前記導線の組の少なくとも１つの導線の状態の変化に応答するように構成されたサブシステムとを含むケーブル。
【請求項６】
前記サブシステムが、
少なくとも１つの輻射線放射素子と、
前記輻射線放射素子に接続されており、かつ該輻射線放射素子を駆動させることができる回路と、を含み、
前記回路が、前記少なくとも１つの導線の状態の前記変化から、装置が前記ケーブルに接続されているかどうかを判断し、装置が前記ケーブルに接続されているという判断に応答して、前記輻射線放射素子に、前記ケーブル案内情報を示す輻射線を放射させるように構成された請求項５に記載のケーブル。
【請求項７】
装置と、
前記装置に接続されたケーブルと、を含み、前記ケーブルが、
導線の組と、
前記ケーブルの少なくとも１つの特性を示すケーブルデータを格納するメモリと、
前記導線の組の少なくとも１つの導線に接続されており、前記ケーブルデータの少なくとも幾つかにアクセスし、前記導線の組の少なくとも１つの導線上で、前記アクセスされたケーブルデータを逐次的に前記装置に送信することにより、前記導線の組の少なくとも１つの導線上の前記装置から受信したデータ要求に応答するように構成された回路と、
を含むシステム。
【請求項８】
ケーブル内に格納されたケーブルデータを外部装置に与えるための方法であって、
前記外部装置からの要求を前記ケーブルの少なくとも１つの導線に明示するステップと、
前記ケーブルデータの少なくとも幾つかにアクセスし、前記ケーブルの少なくとも１つの導線上で、前記アクセスされたケーブルデータを、逐次的に、前記ケーブルから前記外部装置に送信することにより、前記要求に応答するステップと、
を含む方法。
【請求項９】
前記外部装置が、プリエンファシスをコンテンツデータに適用するように構成された送信機であり、
前記ケーブルから受信された前記ケーブルデータの少なくとも幾つかに応答して、プリエンファシスを前記コンテンツデータに適用する際に用いるためのプリエンファシス値を求めるステップをさらに含む請求項８に記載の方法。
【請求項１０】
導線の組と情報明示サブシステムとを含むケーブルから、ケーブル案内情報を明示するための方法であって、
（ａ）前記導線の組の少なくとも１つの導線を監視するステップと、
（ｂ）前記導線の組の少なくとも１つの導線の状態の変化に応答して、ケーブル案内情報を前記情報明示サブシステムから明示するステップと、
を含む方法。
【国際調査報告】
2007535235.tif 000010